(57)【特許請求の範囲】
【請求項１】
扉面に固定され錠機構を内設する筐体と、
軸部が室外側から扉及び該筐体を貫通する室外側開閉操作部材と、
前記筐体に設けられ前記軸部が挿通されるとともに外周に雄ネジの形成される筒状のボスと、
前記筐体を覆って被せられ該ボスに外挿されるボス挿通穴を有する外装ケースと、
前記ボスから突出した前記軸部に、基部端面で開口した挿入穴を嵌合し且つ該軸部に直交方向の抜止ネジにて該軸部に固定される室内側開閉操作部材と、
前記雄ネジに螺合して前記ボス挿通穴の周縁に当接するナットと、
該ナットと前記室内側開閉操作部材の基部端面との間に同軸に介装され脱落規制される化粧リングと、
前記ボスの端部に軸線方向に形成された切欠部と、
前記化粧リングに形成され該切欠部に係合して該化粧リングの回転を規制する爪部と、
前記化粧リングと前記ナットとに亘って設けられ回転規制された前記化粧リングに係合して前記ナットの回転を規制する緩み止め手段と、
を具備したことを特徴とする面付錠の外装ケース固定構造。
【請求項２】
前記緩み止め手段が、
前記化粧リングの内周面に形成された突起と、
前記ナット外周の円周方向に所定間隔で設けられた複数の凸部相互間で形成され該突起を配置して前記ナットを所定の角度範囲で回転規制する凸部相互間空隙と、
からなることを特徴とする請求項１記載の面付錠の外装ケース固定構造。
【請求項３】
前記外装ケースに凹部が形成され、
該凹部の底面に前記ボス挿通穴が穿設され、
前記化粧リングが前記外装ケースの表面と同一面となって前記凹部に収容されることを特徴とする請求項１又は２記載の面付錠の外装ケース固定構造。
【請求項４】
前記軸部と前記ボスとの環状空間、及び前記化粧リングの表面と前記室内側開閉操作部材の基部端面との間に、樹脂材料からなる筒状の鍔付ハンドルブッシュが同軸に介装されることを特徴とする請求項１，２，３のいずれか１つに記載の面付錠の外装ケース固定構造。
【請求項５】
前記筺体に設けられた固定用ネジ孔と、
前記外装ケースに設けられ前記固定用ネジ孔に対応する透孔と、
を備え、
前記外装ケースが、前記透孔に挿入される固定ネジを前記固定用ネジ孔に螺合するとともに、前記ボスに螺合した前記ナットを前記外装ケースのボス挿通穴の周縁に押圧することで脱落規制されて前記筐体に装着されることを特徴とする請求項１，２，３，４のいずれか１つに記載の面付錠の外装ケース固定構造。
【発明の詳細な説明】
【技術分野】
【０００１】
本発明は、扉表面に取付けられる面付錠の外装ケース固定構造に関し、特に、外装ケースを貫通したボスに螺合するナットによる外装ケース固定構造の信頼性を高める改良技術に関する。
【背景技術】
【０００２】
近年、ガラス素材の強度向上によって全面ガラス扉が多用されるようになってきている。全面ガラス扉は、例えばオフィスビルの玄関や店舗の入り口に設置される場合に、施錠装置を設ける必要がある。従来、この種の全面ガラス扉に施錠装置を設ける場合には、吊元金具や、上框、下框或いは中央部に付設した金属枠部に施錠装置を設けるのが一般的であった。ところが、施錠装置を設けるために金属枠部分を付設するのでは、折角の全面ガラス扉の意匠性を低下させることがあり、好ましくはこれら金属枠部分が設けられない方が良い。このような不具合を解消するものに、扉ガラス素材に直接穿設した取付穴を利用して、施錠装置のみを全面ガラス扉に取り付けた特許文献１のドア錠が提案されている。このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【特許文献１】特表２００２−５２３６６０号公報
【発明の開示】
【発明が解決しようとする課題】
【０００３】
上記した従来のドア錠（面付錠）は、扉ガラス素材に直接穿設した取付穴を利用して取付けできることから、金属枠部分を付設する場合に比べ、全面ガラス扉の意匠性を低下させずに済む。しかし、面付錠は、被着体が全面ガラスであることから、意匠性、デザイン性等を更に加味したり、或いは扉周囲のデザインとの兼ね合いで、外観、デザインを変更したい要請のあることが多い。従来の面付錠は、表面の外装ケースが、錠機構を収容する装置筐体と兼用の一体構造であるため、デザイン等の変更や、外観のみを新しく（リニューアル）する場合には、錠機構を含めた錠装置全体を交換しなければならず、部材費用が高価となるとともに、交換作業にも多大な労力が必要となる問題があった。そして錠機構が使用可能であるにもかかわらず、デザイン変更のためのみに、錠装置全体を交換するのは極めて不経済であり、資源の有効利用にも反することとなった。
【０００４】
これに対し、開閉操作部材の軸部を筒状のボスに回動自在に挿通し、外装ケースを貫通させたこのボスにナットを螺合することで、ナットを外装ケースのボス挿通穴の周縁に当接し、外装ケースを交換可能に装着する固定構造も考えられるが、長期に渡る開閉操作部材の回転操作に伴ってナットが緩めば、ナットがボスの先端側へ移動し、開閉操作部材の基部端面に干渉して、操作荷重の負荷を増大させ、開閉操作部材の操作性を低下させることが危惧された。
【０００５】
本発明は上記状況に鑑みてなされたもので、デザイン変更が簡単な外装ケース固定構造において、ナットが緩み、室内側開閉操作部材と干渉することのない面付錠の外装ケース固定構造を提供し、もって、経時的な操作荷重の負荷増大を防止し、良好な操作性の維持を図ることを目的とする。
【課題を解決するための手段】
【０００６】
次に、上記の課題を解決するための手段を、実施の形態に対応する図面を参照して説明する。
本発明の請求項１記載の面付錠の外装ケース固定構造は、扉面３７に固定され錠機構を内設する筐体１０１と、
軸部３５が室外側から扉１１及び該筐体１０１を貫通する室外側開閉操作部材２３Ａと、
前記筐体１０１に設けられ前記軸部３５が挿通されるとともに外周に雄ネジ１１１の形成される筒状のボス１０９と、
前記筐体１０１を覆って被せられ該ボス１０９に外挿されるボス挿通穴１２７を有する外装ケース１１７と、
前記ボス１０９から突出した前記軸部３５に、基部端面１３７で開口した挿入穴を嵌合し且つ該軸部３５に直交方向の抜止ネジにて該軸部３５に固定される室内側開閉操作部材２３Ｂと、
前記雄ネジ１１１に螺合して前記ボス挿通穴１２７の周縁に当接するナット１３９と、
該ナット１３９と前記室内側開閉操作部材２３Ｂの基部端面１３７との間に同軸に介装され脱落規制される化粧リング１４１と、
前記ボス１０９の端部に軸線方向に形成された切欠部２０９と、
前記化粧リング１４１に形成され該切欠部２０９に係合して該化粧リング１４１の回転を規制する爪部２１１と、
前記化粧リング１４１と前記ナット１３９とに亘って設けられ回転規制された前記化粧リング１４１に係合して前記ナット１３９の回転を規制する緩み止め手段２１３と、
を具備したことを特徴とする。
【０００７】
この面付錠の外装ケース固定構造では、ボス１０９の切欠部２０９に化粧リング１４１の爪部２１１が係合することで、化粧リング１４１が回転不能に固定される。この回転固定された化粧リング１４１に対し、緩み止め手段２１３を介してナット１３９の回転が規制される。これにより、ナット１３９がボス挿通穴１２７の周縁に当接した状態から緩み、ボス先端側へ移動することによる室内側開閉操作部材２３Ｂへの干渉（押圧）が防止される。
【０００８】
請求項２記載の面付錠の外装ケース固定構造は、前記緩み止め手段２１３が、
前記化粧リング１４１の内周面１４１ａに形成された突起２１５と、
前記ナット外周の円周方向に所定間隔で設けられた複数の凸部相互間で形成され該突起２１５を配置して前記ナット１３９を所定の角度範囲θで回転規制する凸部相互間空隙２１９と、
からなることを特徴とする。
【０００９】
この面付錠の外装ケース固定構造では、化粧リング１４１の突起２１５が、ナット１３９の凸部相互間空隙２１９に配置されることで、回転規制されるナット１３９が、所定の角度範囲θで回転可能となりながら、緩み止めされる。
【００１０】
請求項３記載の面付錠の外装ケース固定構造は、前記外装ケース１１７に凹部１２９が形成され、
該凹部１２９の底面１３１に前記ボス挿通穴１２７が穿設され、
前記化粧リング１４１が前記外装ケース１１７の表面と同一面となって前記凹部１２９に収容されることを特徴とする。
【００１１】
この面付錠の外装ケース固定構造では、ボス挿通穴１２７が外装ケース表面から凹んだ凹部１２９の底面位置で開口され、ボス挿通穴１２７や、ボス挿通穴１２７から突出する軸部３５が見え難くなる。
【００１２】
請求項４記載の面付錠の外装ケース固定構造は、前記軸部３５と前記ボス１０９との環状空間、及び前記化粧リング１４１の表面と前記室内側開閉操作部材２３Ｂの基部端面１３７との間に、樹脂材料からなる筒状の鍔付ハンドルブッシュ１３５が同軸に介装されることを特徴とする。
【００１３】
この面付錠の外装ケース固定構造では、軸部３５が鍔付ハンドルブッシュ１３５を介してボス１０９の内壁面に当接し、基部端面１３７が鍔部１３５ａを介して化粧リング１４１に摺接する。つまり、軸部３５とボス１０９、及び化粧リング１４１と室内側開閉操作部材２３Ｂが、金属同士で接触せず、低摩擦の樹脂製鍔付ハンドルブッシュ１３５を介して接触状態となる。
【００１４】
請求項５記載の面付錠の外装ケース固定構造は、前記筺体１０１に設けられた固定用ネジ孔１０３と、
前記外装ケース１１７に設けられ前記固定用ネジ孔１０３に対応する透孔１１９と、
を備え、
前記外装ケース１１７が、前記透孔１１９に挿入される固定ネジ１４３を前記固定用ネジ孔１０３に螺合するとともに、前記ボス１０９に螺合した前記ナット１３９を前記外装ケース１１７のボス挿通穴１２７の周縁に押圧することで脱落規制されて前記筐体１０１に装着されることを特徴とする。
【００１５】
この面付錠の外装ケース固定構造では、固定ネジ１４３が外され、抜止ネジを外して軸部３５から室内側開閉操作部材２３Ｂが抜脱され、ボス１０９からナット１３９が外されれば、筐体１０１に対する外装ケース１１７の脱着規制が解除され、外装ケース１１７が筐体１０１から容易に脱着可能となる。これにより、装着済みの外装ケース１１７が、異なる色やデザインの新規な外装ケース１１７と容易に交換可能となる。
【発明の効果】
【００１６】
本発明に係る請求項１記載の面付錠の外装ケース固定構造によれば、ボスの端部に軸線方向に切欠部を形成し、化粧リングにこの切欠部に係合する爪部を形成し、回転規制された化粧リングに係合してナットの回転を規制する緩み止め手段を化粧リングとナットとに亘って設けたので、ボスの切欠部に係合する爪部によって化粧リングが回転不能に固定され、この回転固定された化粧リングに対し、緩み止め手段を介してナットの回転が規制される。したがって、ナットがボス挿通穴の周縁に当接した状態から緩み、ボス先端側へ移動することによる室内側開閉操作部材への押圧が防止される。この結果、室内側開閉操作部材に対する操作荷重の負荷が増大しなくなり、良好な操作性を維持し続けることができる。
【００１７】
請求項２記載の面付錠の外装ケース固定構造によれば、緩み止め手段が、化粧リングの内周面に形成された突起と、ナット外周に設けられナットを所定の角度範囲で回転規制する凸部相互間空隙とからなるので、回転規制されるナットが、所定の角度範囲で回転可能となりながら、緩み止めされる。これにより、厚みの異なる他仕様の外装ケースに交換され、外装ケースからのボス突出長が変化する場合であっても、ボスの雄ネジにナットを螺合させることが可能となり、ナットをボス挿通穴の周縁に当接することによる外装ケースの固定に、汎用性を持たせることができる。
【００１８】
請求項３記載の面付錠の外装ケース固定構造によれば、外装ケースに凹部が形成され、凹部の底面にボス挿通穴が穿設され、化粧リングが外装ケースの表面と同一面となって凹部に収容されるので、ボス挿通穴や、ボス挿通穴から突出する軸部が見え難くなり、面付錠としての外観・見栄えを良好にすることができる。
【００１９】
請求項４記載の面付錠の外装ケース固定構造によれば、軸部とボスとの環状空間、及び化粧リングの表面と室内側開閉操作部材の基部端面との間に、樹脂材料からなる筒状の鍔付ハンドルブッシュが同軸に介装されるので、軸部が鍔付ハンドルブッシュを介してボスの内壁面に当接するとともに、基部端面が鍔部を介して化粧リングに摺接する。これにより、軸部の半径方向の振れやガタツキを規制し、且つ室内側開閉操作部材と化粧リングとの摩擦を減らして、室外側開閉操作部材及び室内側開閉操作部材の操作感を良好にすることができる。
【００２０】
請求項５記載の面付錠の外装ケース固定構造によれば、外装ケースの透孔に挿入した固定ネジを筐体の固定用ネジ孔に螺合するとともに、ボスに螺合したナットを外装ケースのボス挿通穴の周縁に押圧することで、外装ケースが脱落規制されて筐体に装着されるので、固定ネジを外し、軸部から室内側開閉操作部材を抜脱、例えば軸部に対して室内側開閉操作部材が抜止ネジで固定されている場合にはこの抜止ネジを外し、ナットを螺合解除することで、外装ケースを筐体から容易に脱着することができる。これにより、異なる色やデザインの新規な外装ケースと容易に交換することができる。また、錠機構はそのまま再利用して外装ケースのみを交換すればよいので、交換を安価に、容易な作業で短時間に行うことができる。この結果、デザイン変更や、外観のリニューアルを容易且つ安価に行え、面付錠を交換する際の経済性を向上させ、しかも、資源を有効利用することができる。また、このとき室内側開閉操作部材も取り外すことによって外装ケースの交換を行うことから、この外装ケースと同時に室内側開閉操作部材の、色、素材、質感、形状、デザイン等をも簡便に交換することができる。
【発明を実施するための最良の形態】
【００２１】
以下、本発明に係る面付錠の外装ケース固定構造の好適な実施の形態を図面を参照して詳細に説明する。
図１は本発明に係る外装ケース固定構造を備えた面付錠の外観斜視図、図２は図１に示した面付錠の取り付けられた全面ガラス扉を室外側から視た正面図、図３は図１に示した面付錠を室内側から視た分解斜視図である。
【００２２】
本実施の形態による面付錠の外装ケース固定構造は、開閉体である例えば両開きの全面ガラス扉に好適に用いることができる。この他、当該外装ケース固定構造は、片開きの全面ガラス扉、両開き・片開きのスチール扉等に用いても好適なものである。本実施の形態では、当該外装ケース固定構造を備えた図１に示す面付錠１００が図２に示す両開きの全面ガラス扉１１（１１ａ，１１ｂ）に設けられる例を説明する。
【００２３】
図２に示すように、建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持され、全面ガラス扉１１ａ，１１ｂは一方向（本実施の形態では室内側）へ開放規制可能となる。
【００２４】
全面ガラス扉１１ａ，１１ｂは、例えば一方の全面ガラス扉１１ａが開閉規制され、他方の全面ガラス扉１１ｂのみが開閉可能となる。この場合、一方の全面ガラス扉１１ａの開閉規制は、ヒンジ１５等に設けられる開閉規制手段等によって可能となる。この状態で、他方の全面ガラス扉１１ｂが一方の全面ガラス扉１１ａへ施錠されれば、一対の全面ガラス扉１１ａ，１１ｂの双方は、開閉規制された施錠状態となる。本実施の形態の面付錠１００は、他方の全面ガラス扉１１ｂを一方の全面ガラス扉１１ａへ施錠するように働く。
【００２５】
一方の全面ガラス扉１１ａには被係止体１７が取り付けられ、被係止体１７は面付錠１００から突出する後述のラッチの先端を係止可能としている。つまり、一方の全面ガラス扉１１ａが固定されている状態で、他方の全面ガラス扉１１ｂは、ラッチが被係止体１７に係止することで、室内側（図２の紙面裏面側）への開放が規制される。
【００２６】
面付錠１００は、錠ケース２１と、開閉操作部材であるレバーハンドル２３Ａ，２３Ｂと、ラッチ２５と、サムターン２７と、不図示のシリンダ錠と、トリガー３１とが外部に表出して設けられている。なお、サムターン２７、シリンダ錠、及びトリガー３１は、本実施の形態の構成部材として特に含まれなくても良い。錠ケース２１は、室外側ケース２１ａと室内側ケース２１ｂとからなる。室外側ケース２１ａと室内側ケース２１ｂとは、全面ガラス扉１１ｂの扉開閉端３３を挟持して取り付けられる。室外側ケース２１ａと室内側ケース２１ｂとのそれぞれからは、先端にハンドル部３４を形成したレバーハンドル２３Ａ，２３Ｂの軸部３５が扉面３７に垂直な方向で突出している。
【００２７】
面付錠１００は、全面ガラス扉１１ｂに固定された錠ケース２１から進退するラッチ２５の先端を扉開閉端３３から突出させて、被係止体１７に係止することで全面ガラス扉１１ｂを施錠、すなわち開扉規制状態とする。レバーハンドル２３Ａ，２３Ｂは、扉面３７に垂直な方向で、全面ガラス扉１１ｂ及び錠ケース２１を軸部３５が貫通して回動自在となっている。面付錠１００は、開閉操作部材としてレバーハンドル２３Ａ，２３Ｂが用いられることで、開閉操作部材が例えば玉状握りハンドル等である場合に比べ、回動中心（軸部３５の中心）から操作力の印加される作用点までの距離が大きく確保され、少ない回転操作力及び回転角度にて容易且つ確実に錠機構へ入力可能となっている。
【００２８】
室内側ケース２１ｂは、錠機構を内設した筐体１０１を有する。筐体１０１は、室外側ケース２１ａとで全面ガラス扉１１ｂに固定されている。筐体１０１には錠機構へレバーハンドル２３Ａ，２３Ｂからの回動操作力を入力するカム板２０１（図４参照）が内設され、カム板２０１は貫通穴を有している。この貫通穴にはレバーハンドル２３Ａの角柱状の軸部先端３５ａが室外側から貫通され、軸部先端３５ａは室内側へ所定寸法（２〜３ｃｍ程度）突出する。
【００２９】
筐体１０１の扉面３７に垂直な側面には固定用ネジ孔１０３が形成され、固定用ネジ孔１０３は後述する外装ケースに挿通された固定ネジ１４３と螺合する。
【００３０】
筐体１０１の扉面３７と平行な面１０５には凹み部１０７が形成され、凹み部１０７は軸部先端３５ａの挿通される筒状のボス１０９を固定している。ボス１０９の筒部外周には雄ネジ１１１が形成され、雄ネジ１１１は後述のナット１３９と螺合する。ボス１０９は筒部の基端にフランジ部１１３が形成され、フランジ部１１３は複数の固定穴１１５に凹み部１０７の固定ピンが加締められて筐体１０１へ固定される。
【００３１】
筐体１０１には外装ケース１１７が覆うようにして被せられ、外装ケース１１７は上記の固定用ネジ孔１０３に応じた透孔１１９を有している。外装ケース１１７にはこの他、ラッチ２５を突出させるラッチ開口１２１、トリガー３１を突出させるトリガー開口１２３、サムターン２７を突出させるサムターン開口１２５、ボス１０９を突出させるボス挿通穴１２７が形成されている。
【００３２】
本実施の形態では、外装ケース１１７に凹部１２９が形成され、この凹部１２９の底面１３１にボス挿通穴１２７が穿設されている。ボス挿通穴１２７が外装ケース表面１３３から凹んだ凹部１２９の底面位置で開口されることで、ボス挿通穴１２７や、ボス挿通穴１２７から突出する軸部先端３５ａが見え難くなり、見栄えを良好にすることが可能となっている。
【００３３】
図４はボスにナットが螺合された面付錠の化粧リング、外装ケースを省略した斜視図、図５はボスに化粧リングが装着された面付錠の外装ケースを省略した斜視図、図６はボス近傍の軸部中心を通る軸部平行面での断面図である。
ボス挿通穴１２７の周縁と、レバーハンドル２３Ｂの基部端面１３７（図１参照）との間には図３に示すナット１３９が介装され、ナット１３９は図４に示すように、雄ネジ１１１に螺合してボス挿通穴１２７の周縁（底面１３１）に当接する。本実施の形態では、ボス１０９の雄ネジ１１１に螺合されたナット１３９がボス挿通穴１２７の周縁に当接されることで、ボス１０９からのボス挿通穴１２７の抜け、すなわち、ボス１０９からの外装ケース１１７の抜けがナット１３９によって規制されるようになっている。
【００３４】
ナット１３９とレバーハンドル２３Ｂの基部端面１３７との間には図５に示すように、化粧リング１４１が介装され、化粧リング１４１は外装ケース表面１３３と同一面となって凹部１２９に収容される。外装ケース１１７の抜けを防止するナット１３９が、外装ケース表面１３３と同一面の化粧リング１４１によって覆われ、外装ケース表面１３３の全てが化粧部材の連続する仕上面で覆われることになる。これにより、外装ケース１１７の見栄えを良好にしている。
【００３５】
なお、図４，図５中、２０３はラッチ２５の摺動音を低減させる消音板、２０５はラッチ２５に進退駆動力を伝達する連結杆、２０７は軸部３５に連動するカム板２０１に従動して連結杆２０５を作動させる増幅カムを示す。
【００３６】
軸部３５とボス１０９との環状空間、及び化粧リング１４１の表面とレバーハンドル２３Ｂの基部端面１３７との間には、図６に示す樹脂材料からなる筒状の鍔付ハンドルブッシュ１３５が同軸に介装されている。鍔付ハンドルブッシュ１３５は化粧リング１４１と基部端面１３７に挟まれる鍔部１３５ａを有する。鍔付ハンドルブッシュ１３５が介装されることで、軸部３５が鍔付ハンドルブッシュ１３５を介してボス１０９の内壁面に当接し、且つ軸部３５の基部端面１３７が鍔部１３５ａを介して化粧リング１４１に摺接する。つまり、軸部３５とボス１０９、及び化粧リング１４１とレバーハンドル２３Ｂが、金属同士で接触せず、低摩擦の樹脂製鍔付ハンドルブッシュ１３５を介して接触状態となる。これにより、軸部３５の偏芯が抑止され、軸部３５の半径方向の振れやガタツキが規制され、レバーハンドル２３Ａ，２３Ｂの良好な操作感が得られるようになっている。
【００３７】
ボス１０９から突出した軸部先端３５ａには、レバーハンドル２３Ｂの基部端面１３７で開口した不図示の挿入穴が嵌合される。そして、レバーハンドル２３Ｂは、軸部３５に直交方向の図示しない抜止ネジにて、軸部先端３５ａに固定される。したがって、外装ケース１１７は、透孔１１９に挿入されて固定用ネジ孔１０３に螺合される固定ネジ（六角穴皿ネジ）１４３と、ナット１３９とで脱落規制されて、筐体１０１に装着される。
【００３８】
図７は図６の分解図、図８は図７に示した各部材の正面図である。
ところで、筐体１０１に固定されるボス１０９の端部には軸線方向に複数（本実施の形態では２つ）の切欠部２０９が形成される。化粧リング１４１には爪部２１１が形成され、爪部２１１は切欠部２０９に係合して化粧リング１４１の回転を規制する。爪部２１１は、軸線方向から切欠部２０９に挿入される。この爪部２１１の切欠部２０９からの脱落は、化粧リング１４１が鍔付ハンドルブッシュ１３５の鍔部１３５ａを介して基部端面１３７に押圧されることで規制されている。
【００３９】
化粧リング１４１とナット１３９には両者に亘って緩み止め手段２１３（図６参照）が設けられ、緩み止め手段２１３は回転規制された化粧リング１４１に係合してナット１３９の回転を規制するよう働く。本実施の形態において、緩み止め手段２１３は、化粧リング１４１の内周面１４１ａに形成された突起２１５と、ナット外周の円周方向に所定間隔で設けられた複数の凸部２１７の相互間で形成され突起２１５を配置してナット１３９を所定の角度範囲θで回転規制する凸部相互間空隙２１９とからなる。なお、図８中、２２１は、ボス１０９の内溝２２３に嵌入して鍔付ハンドルブッシュ１３５の回転を規制する凸条を示す。
【００４０】
上記の構成を有する外装ケース固定構造の組立手順を説明する。
室外側ケース２１ａと筐体１０１とが全面ガラス扉１１ｂに固定されている状態で、筐体１０１に外装ケース１１７を被せる。外装ケース１１７の透孔１１９に挿入した固定ネジ１４３を筐体１０１の固定用ネジ孔１０３に螺合する。これにより、外装ケース１１７が筐体１０１へ仮固定される。
【００４１】
次いで、ボス１０９の雄ネジ１１１にナット１３９を螺合する。ナット１３９を覆うようにして、化粧リング１４１を凹部１２９内に装着する。この際、化粧リング１４１は、爪部２１１を切欠部２０９に挿入し、且つ突起２１５を凸部相互間空隙２１９に配置するようにして装着する。ボス挿通穴１２７の内側に鍔付ハンドルブッシュ１３５を装着する。最後に、レバーハンドル２３Ｂの軸部３５を軸部先端３５ａに挿入し、図示しない抜止ネジをレバーハンドル２３Ｂの軸部３５の半径方向内側へ螺合することで、軸部先端３５ａに固定する。これにより、レバーハンドル２３Ａ，２３Ｂの抜けが規制されると同時に、外装ケース１１７も脱落が規制される。
【００４２】
この面付錠の外装ケース固定構造では、固定ネジ１４３が外され、抜止ネジを外して軸部先端３５ａからレバーハンドル２３Ｂが抜脱され、化粧リング１４１を除去後、ナット１３９が螺合解除されれば、筐体１０１に対する外装ケース１１７の脱着規制が解除され、外装ケース１１７が筐体１０１から容易に脱着可能となる。これにより、装着済みの外装ケース１１７が、異なる色やデザインの新規な外装ケースと容易に交換可能となる。その際、錠機構はそのまま再利用して外装ケース１１７のみを交換することができる。また、同時にレバーハンドル２３Ｂについても、外装ケース１１７に合わせたデザイン、或いは他の機能を備えた形状等の操作部材に交換可能となる。
【００４３】
図９は突起と凸部相互間空隙とによる回転規制の状況を（ａ）（ｂ）に表す作用説明図である。
外装ケース固定構造では、ボス１０９の切欠部２０９に化粧リング１４１の爪部２１１が係合することで、化粧リング１４１が回転不能に固定される。この回転固定された化粧リング１４１に対し、緩み止め手段２１３を介してナット１３９の回転が規制される。これにより、ナット１３９がボス挿通穴１２７の周縁に当接した状態から緩み、ボス先端側へ移動することによるレバーハンドル２３Ｂへの干渉（押圧）が防止されている。
【００４４】
そして、化粧リング１４１の突起２１５が、ナット１３９の凸部相互間空隙２１９に配置されることで、回転規制されるナット１３９が、所定の角度範囲θで回転可能となりながら、緩み止めされる。より具体的には、図９（ａ）に示すように、凸部２１７が２１７ａ，２１７ｂ，２１７ｃからなる場合、突起２１５に凸部２１７ａが当接した状態では、次の凸部２１７ｂが同位置の突起２１５に当接するまでの角度範囲θだけ、ナット１３９が回転可能となりながら、緩み止めされる。また、図９（ａ）の右方の回転位置において、突起２１５が、図９（ｂ）に示す上方に配置されていれば、図９（ｂ）に示すように、図９（ａ）の右方の状態から、さらに、凸部２１７ａが突起２１５に当接する角度範囲θでナット１３９が回転可能となる。つまり、左右に位置する切欠部２０９に選択的に爪部２１１を挿入し、突起２１５の位置を変えることで、円周上の所望位置に、回転可能な角度範囲θを設定できるようになっている。
【００４５】
これにより、外装ケース１１７が、厚みの異なる他仕様の外装ケースに交換され、外装ケース１１７からのボス突出長が変化する場合であっても、ボス１０９の雄ネジ１１１にナット１３９を螺合させることが可能となり、ナット１３９をボス挿通穴１２７の周縁に当接することによる外装ケース１１７の固定構造に、汎用性を持たせることができる。
【００４６】
したがって、上記の面付錠の外装ケース固定構造によれば、透孔１１９に挿入されて固定用ネジ孔１０３に螺合される固定ネジ１４３と、ボス挿通穴１２７の周縁に当接するナット１３９とで、外装ケース１１７が脱落規制されて筐体１０１に装着できるので、固定ネジ１４３を外し、抜止ネジを外して軸部先端３５ａからレバーハンドル２３Ｂを抜脱し、ナット１３９を螺合解除すれば、外装ケース１１７を筐体１０１から容易に脱着することができる。
【００４７】
これにより、異なる色やデザインの新規な外装ケースと容易に交換することができる。また、錠機構はそのまま再利用して外装ケース１１７のみを交換すればよいので、交換を安価に、容易な作業で短時間に行うことができる。この結果、デザイン変更や、外観のリニューアルを容易且つ安価に行え、面付錠１００を交換する際の経済性を向上させ、しかも、資源を有効利用することができる。
【００４８】
そして、ボス１０９の端部に切欠部２０９を形成し、化粧リング１４１にこの切欠部２０９に係合する爪部２１１を形成し、回転規制された化粧リング１４１に係合してナット１３９の回転を規制する緩み止め手段２１３を化粧リング１４１とナット１３９とに亘って設けたので、ボス１０９の切欠部２０９に係合する爪部２１１によって化粧リング１４１が回転不能に固定され、この回転固定された化粧リング１４１に対し、緩み止め手段２１３を介してナット１３９の回転が規制される。したがって、ナット１３９がボス挿通穴１２７の周縁に当接した状態から緩み、ボス先端側へ移動することによるレバーハンドル２３Ｂへの押圧が防止される。この結果、レバーハンドル２３Ｂに対する操作荷重の負荷が増大しなくなり、良好な操作性を維持し続けることができる。
【００４９】
また、上記の実施の形態では、開閉操作部材がレバーハンドル２３Ａ，２３Ｂであるので、玉状握りハンドル等に比べ、少ない回転操作力を容易且つ確実に錠機構へ入力可能にし、操作性を向上させることができる。なお、本発明に係る面付錠の外装ケース固定構造は、開閉操作部材が玉状握りハンドルであっても勿論よい。
【００５０】
また、上記の実施の形態では、面付錠１００が、両開きの全面ガラス扉１１に設けられる場合を例に説明したが、面付錠１００は、片開きの全面ガラス扉、両開き・片開きのスチール扉等に用いられても勿論よい。
【図面の簡単な説明】
【００５１】
【図１】本発明に係る外装ケース固定構造を備えた面付錠の外観斜視図である。
【図２】図１に示した面付錠の取り付けられた全面ガラス扉を室外側から視た正面図である。
【図３】図１に示した面付錠を室内側から視た分解斜視図である。
【図４】ボスにナットが螺合された面付錠の化粧リング、外装ケースを省略した斜視図である。
【図５】ボスに化粧リングが装着された面付錠の外装ケースを省略した斜視図である。
【図６】ボス近傍の軸部中心を通る軸部平行面での断面図である。
【図７】図６の分解図である。
【図８】図７に示した各部材の正面図である。
【図９】突起と凸部相互間空隙とによる回転規制の状況を（ａ）（ｂ）に表す作用説明図である。
【符号の説明】
【００５２】
１１…扉
２３Ａ…室外側開閉操作部材（レバーハンドル）
２３Ｂ…室内側開閉操作部材（レバーハンドル）
３５…軸部
３７…扉面
１００…面付錠
１０１…筐体
１０３…固定用ネジ孔
１０９…ボス
１１１…雄ネジ
１１７…外装ケース
１１９…透孔
１２７…ボス挿通穴
１２９…凹部
１３１…凹部の底面
１３３…ケース表面
１３５…鍔付ハンドルブッシュ
１３７…基部端面
１３９…ナット
１４１…化粧リング
１４１ａ…化粧リングの内周面
１４３…固定ネジ
２０９…切欠部
２１１…爪部
２１３…緩み止め手段
２１５…突起
２１７…凸部
２１９…凸部相互間空隙
θ…所定の角度範囲
【図１】
0004990093.tif 000002
【図２】
0004990093.tif 000003
【図３】
0004990093.tif 000004
【図４】
0004990093.tif 000005
【図５】
0004990093.tif 000006
【図６】
0004990093.tif 000007
【図７】
0004990093.tif 000008
【図８】
0004990093.tif 000009
【図９】
0004990093.tif 000010